(57)【要約】【課題】薄型テレビの取付作業を軽減できるとともに、様々な取付態様に対応可能なテレビ壁掛け用ラックを提供する。【解決手段】テレビ壁掛け用ラック１０の床支柱部３０は、レール部５２の形状にあわせた形状を有した垂直上向きに形成された筒状体である。床支柱部３０は、床固定補強バー２４に取り付けられた支柱ベース部３２と、外側に向けて一旦屈曲して戻る屈曲部３６と、レール部５２の下端部を収容するレール固定部３４とから構成されている。床支柱部３０が外側に曲がった屈曲部３６を有することから、テレビ９０をテレビ壁掛け用ラック１０へ固定するときに、テレビ９０のスタンド部９４を屈曲部３６で形成された空間に配置することで、テレビ９０にスタンド部９４を取り付けたまま作業することができる。【選択図】図２
2011142376.tif 000002
【特許請求の範囲】
【請求項１】
テレビ背面にネジ固定される一対の柱部を備え立設されるテレビ壁掛け用ラックであって、
二つの前記柱部は、互いに平行であって、外側に屈曲して二つの前記柱部の間隔が広くなる屈曲部を有していることを特徴とするテレビ壁掛け用ラック。
【請求項２】
前記柱部は、
テレビを取り付けて立設した状態で、垂直から略水平までの所望の角度に折れ曲がるヒンジ機構と、
前記ヒンジ機構によって折れ曲がったときの上方の端部の位置を所望の高さに配置しつつ、前記ヒンジ機構の折れ曲がりにともなう前後方向の位置を調整する位置調整手段と、
を備えていることを特徴とする請求項１に記載のテレビ壁掛け用ラック。
【請求項３】
天井に固定するための第１の固定バーと床面に固定するための第２の固定バーとを備え、前記柱部が前記第１および第２の固定バーに渡されていることを特徴とする請求項１又は２に記載のテレビ壁掛け用ラック。
【請求項４】
テレビ背面にネジ固定される一対の柱部を備え立設されるテレビ壁掛け用ラックであって、
前記柱部は、テレビを取り付けて立設した状態で、垂直から略水平までの所望の角度に折れ曲がるヒンジ機構と、前記ヒンジ機構によって折れ曲がったときの上方の端部の位置を所望の高さに配置しつつ、前記ヒンジ機構の折れ曲がりにともなう前後方向の位置を調整する位置調整手段とを備えていることを特徴とするテレビ壁掛け用ラック。
【発明の詳細な説明】
【技術分野】
【０００１】
本発明は、テレビ壁掛け用ラックに係り、薄型テレビを取り付けるテレビ壁掛け用ラックに関する。
【背景技術】
【０００２】
近年、市販されているテレビのほとんどが薄型テレビと言ってよいほどになっている。そして、大画面であっても薄型テレビそのものの奥行きが薄く場所を取らないという利点があり、大きな訴求ポイントとなっている。さらに、薄型テレビのもう一つの訴求ポイントが、壁掛けが比較的容易であるという点にある。
【０００３】
一般には、部屋の壁に所定のテレビ取付金具を設置してテレビを取り付けることが多く、ユーザによっては、住宅事情や建物の構造上、壁に直接固定できないことがある。そのような中で、汎用性をもったラックが幾つか提案されている。
【０００４】
例えば、テレビ壁掛け用ラックとして、棚柱の幅を一定に保った状態で矩形パイプからなる取付部を横設し、薄型テレビの裏面に装着されたテレビ取付金具の係止具を取付部に左右移動可能に係止する技術が開示されている。この技術によって、テレビ壁掛け用ラックの汎用性を向上させている。
【先行技術文献】
【特許文献】
【０００５】
【特許文献１】特開２００６−２８７５６２号公報
【発明の概要】
【発明が解決しようとする課題】
【０００６】
ところで、薄型テレビの低価格化とともに大型化が進み、比較的手頃な価格で大型の薄型テレビが購入できるようになっている。そういった中、薄型テレビを壁掛け若しくはラックに固定して使用したいという要望が増えている。従来のブラウン管タイプのテレビと比較すれば、薄型テレビは格段に軽量化されているものの、例えば５０インチの大型パネルを搭載する液晶テレビでは、重量は３０ｋｇ弱程度になる。したがって、従来のラックでは取付作業が必ずしも簡単ではなく別の技術が求められていた。また、様々な取り付け態様に対応することが可能な技術が求められていた。
【０００７】
本発明の目的は、上記課題に鑑み、薄型テレビの取付作業を軽減できるとともに、様々な取り付け態様に対応可能なテレビ壁掛け用ラックを提供することにある。
【課題を解決するための手段】
【０００８】
本発明に係るテレビ壁掛け用ラックは、テレビ背面にネジ固定される一対の柱部を備え立設されるテレビ壁掛け用ラックであって、二つの前記柱部は、互いに平行であって、外側に屈曲して二つの前記柱部の間隔が広くなる屈曲部を有している。
また、前記柱部は、テレビを取り付けて立設した状態で、垂直から略水平までの所望の角度に折れ曲がるヒンジ機構と、前記ヒンジ機構によって折れ曲がったときの上方の端部の位置を所望の高さに配置しつつ、前記ヒンジ機構の折れ曲がりにともなう前記端部の前後方向の位置を調整する位置調整手段とを備えてもよい。
また、天井に固定するための第１の固定バーと床面に固定するための第２の固定バーとを備え、前記レールが前記第１および第２の固定バーに渡されてもよい。
本発明に係る別のテレビ壁掛け用ラックは、テレビ背面にネジ固定される一対の柱部を備え立設されるテレビ壁掛け用ラックであって、前記柱部は、テレビを取り付けて立設した状態で、垂直から略水平までの所望の角度に折れ曲がるヒンジ機構と、前記ヒンジ機構によって折れ曲がったときの上方の端部の位置を所望の高さに配置しつつ、前記ヒンジ機構の折れ曲がりにともなう前後方向の位置を調整する位置調整手段とを備えている。
【発明の効果】
【０００９】
本発明によれば、薄型テレビの取付作業を軽減できるとともに、様々な取り付け態様に対応可能なテレビ壁掛け用ラックを提供することができる。
【図面の簡単な説明】
【００１０】
【図１】本発明の実施形態に係る、テレビ壁掛け用ラックを模式的に示した図である。
【図２】本発明の実施形態に係る、テレビをテレビ壁掛け用ラックに取り付ける手順を示した図である。
【図３】本発明の実施形態に係る、レール部の構成例を示した図である。
【図４】本発明の実施形態の変形例に係る、テレビ壁掛け用ラックを模式的に示した図である。
【図５】本発明の実施形態の変形例に係る、上支持フレーム部の内部構造を模式的に示した図である。
【発明を実施するための形態】
【００１１】
次に、本発明を実施するための形態（以下、「実施形態」という）を、図面を参照して具体的に説明する。以下では、天井と床との間にセット可動用の平行な２本のレールを設けて立設されるテレビ用のラックに関して説明する。２本のレールとテレビ背面に設けられたマウント用のネジ穴がネジ固定され、テレビが所望の位置に固定される。このラックは、レールの天井側及び床側の各端部には固定用バーが設けられて、天井に固定可能となっている。さらに、テレビをレールに取り付ける際に、テレビのスタンドを付けたまま作業できるように、スタンドが邪魔せず配置可能なレール形状とした。さらに変形例として、レールは床側から延長に延び、天井で水平に向きを変えることが可能で、テレビを水平にして、天井に取り付けるような態様でも試聴可能としている。以下、詳細に説明する。
【００１２】
図１は、本実施形態に係るテレビ壁掛け用ラック１０の概略構成を模式的に示した図である。なお、図１（ａ）は、テレビ壁掛け用ラック１０のみを示し、図１（ｂ）は、テレビ壁掛け用ラック１０にテレビ９０が取り付けられた状態（背面）を示している。また、図２にテレビ９０をテレビ壁掛け用ラック１０に取り付ける手順を示している。図示のように、テレビ壁掛け用ラック１０は、天井に固定する部位となる天井固定補強バー２２と、床に固定される部位となる床固定補強バー２４と、天井固定補強バー２２と床固定補強バー２４とを渡す平行な２本一組のラック柱部５０と備える。
【００１３】
それぞれのラック柱部５０は、天井固定補強バー２２に設けられた天井支柱部４０と、床固定補強バー２４に設けられた床支柱部３０と、床支柱部３０と天井支柱部４０の間を渡すレール部５２とを備えて構成されている。
【００１４】
天井支柱部４０は、レール部５２の形状にあわせた形状を有した鉛直下向きに形成された筒状体で、例えばスチール製である。この天井支柱部４０の下側が開口し、上側が天井支柱部４０に固定されている。天井支柱部４０の下側の開口からレール部５２の一方の端部が挿入される。そして、天井支柱部４０の側面に設けられた調整用ネジ穴４２に調整ネジ４４を螺着してレール部５２を所定の長さになるように固定する。なお、レール部５２の天井支柱部４０に挿入される部位には、位置決め用の凹部等が設けられていることが好ましい。また、レール部５２の間隔は、図２で示すテレビ９０の背面９１に設けられたマウント部９２の規格、つまりマウント用ネジ穴９３の規格配置に応じたものとする。
【００１５】
床支柱部３０は、レール部５２の形状にあわせた形状を有した垂直上向きに形成された筒状体で、例えばスチール製である。ただし、この筒状体の一部、より具体的には、真中部分が外側方向に屈曲している。つまり、床支柱部３０は、床固定補強バー２４に取り付けられた支柱ベース部３２と、外側に向けて一旦屈曲して戻る屈曲部３６と、レール部５２の下端部を収容するレール固定部３４とから構成されている。ここでは、支柱ベース部３２、レール固定部３４及び屈曲部３６は、一体として形成されている構造を想定しているが、これに限らず複数のパーツから構成されてもよい。詳細は後述するが、床支柱部３０が外側に曲がった屈曲部３６を有することから、図２で示すように、テレビ９０をテレビ壁掛け用ラック１０へ固定するときに、テレビ９０のスタンド部９４を屈曲部３６で形成された空間に配置することで、テレビ９０にスタンド部９４を取り付けたまま作業することができる。また、レール固定部３４にも、天井支柱部４０と同様に、レール部５２の長さを調整する手段として、調整ネジ３９及びそれによって螺挿するための調整用ネジ穴３８を備えている。また、長さを調整する手段としてボールネジ構造を採用することも可能である。その場合、例えば、下側の床支柱部３０をボールネジ構造として、微調整が可能とすることで、作業負荷を低減できる。
【００１６】
図３は、レール部５２の構成例を示した図である。図３（ａ）の例１で示すレール部５２は、所定間隔離間させて上下に延びる２本のレール本体５３から構成されている。レール本体５３は、例えば、所定強度のスチール製で形成されている。図３（ｂ）の例２で示すレール部５２には、例えば、所定強度のスチール製の一本のレール本体５５に所定間隔で固定孔として位置決め穴５６が設けられている。そして、テレビ９０をテレビ壁掛け用ラック１０に固定するときに、図３（ｃ）に示すように、レール本体５３の間に形成されるレール溝５４または位置決め穴５６を通してマウント用ネジ５７がテレビ９０のマウント用ネジ穴９３に取り付けられる。
【００１７】
以上の構成のテレビ壁掛け用ラック１０に対してテレビ９０を取り付ける手順について図２を参照して説明する。まず、図２（ａ）に示すように、複数の作業者でテレビ９０をテレビ壁掛け用ラック１０の所定の位置に配置する。つまり、テレビ９０がスタンド部９４を備えたままの状態であれば、スタンド部９４が屈曲部３６で形成された空間に位置するように、テレビ壁掛け用ラック１０を移動させる。このとき、屈曲部３６の内側かつ下側部分を、スタンド部９４を安定して載せることが出来る形状（平面等）にしてもよい。その場合、一旦、テレビ９０を屈曲部の平面部分に載せた後は、一人の作業者がテレビ９０を安定するように押さえておけばよい。
【００１８】
つぎに、作業者は、レール部５２にテレビ９０を取り付ける。より具体的には、テレビ９０の背面９１に設けられたマウント部９２のマウント用ネジ穴９３に、レール部５２のレール本体５３を通してマウント用ネジ５７が螺着される。図示では、４カ所のマウント用ネジ穴９３でテレビ９０がテレビ壁掛け用ラック１０のレール部５２に固定されている。このとき、テレビ９０が下方向にずれない程度に一旦仮締めし、図２（ｂ）に示すように、スタンド部９４を取り外す。その後、マウント用ネジ穴９３を本締めして、確実にテレビ９０を固定する。このように、床支柱部３０に屈曲部３６が設けられることで、テレビ９０のスタンド部９４を取り付けたままテレビ９０のテレビ壁掛け用ラック１０への固定作業が可能となる。
【００１９】
以上、本発明を実施形態をもとに説明した。この実施形態は例示であり、それらの各構成要素の組み合わせにいろいろな変形例が可能なこと、またそうした変形例も本発明の範囲にあることは当業者に理解されるところである。
【００２０】
つぎに図４および図５を参照して変形例のテレビ壁掛け用ラック１１０について説明する。図４は、テレビ壁掛け用ラック１１０を横から見た図である。また、図５は、上支持フレーム部１５０の内部構造を模式的に示している。このテレビ壁掛け用ラック１１０は、テレビ９０を天井に下向きに配置されるように移動することができるようになっている。なお、テレビ壁掛け用ラック１１０の天井側の構成に特徴があるので、床側の構造については適宜説明を省略する。
【００２１】
テレビ壁掛け用ラック１１０は、この構成によって図１等の実施形態同様に左右一対のラック柱部１１１を有している。そして、このラック柱部１１１は、上支持フレーム部１５０と、垂直フレーム１６０と、鉛直に配置されるレール部１３０とを備えて構成されている。
【００２２】
上支持フレーム部１５０は、例えばスチール製であって、天井固定補強バー１２２から水平方向に延びる略筒状を呈している。上支持フレーム部１５０の延出端部１５０ａには下方向に延び床支柱部（図示せず；図１等の符号３０に相当）に取り付けられる垂直フレーム１６０が設けられている。この垂直フレーム１６０もスチール製である。さらに、上支持フレーム部１５０の延出端部１５０ａには、レール部１３０が取り付けられている。
【００２３】
レール部１３０は、上側の上レール部１４２と下側の下レール部１４４がヒンジ部１４６によって組み付けられており、上レール部１４２がヒンジ部１４６を支点として前方に折れ曲がることが可能となっている。さらに、下レール部１４４の下側を収容可能に下レール収容部１４１が設けられている。なお、下レール収容部１４１における下レール部１４４は、それぞれに設けられた固定用の開口を一致させた上で芯棒１４９（より好ましくはネジ式芯棒）を挿通して固定する。なお、下レール収容部１４１の下側端部は、床支柱部（図示せず）に取り付けられる。この床支柱部は、上述の図１等で示した実施形態の床支柱部と同様に屈曲部を有してもよい。
【００２４】
上レール部１４２は、上端部に位置決めボール部１４８が棒状の連絡部１７０を介して取り付けられている。位置決めボール部１４８は、上支持フレーム部１５０の内部に前後方向に移動可能に配置されており、位置決めボール部１４８が移動することで、上レール部１４２が傾いて配置されるようになっている。
【００２５】
そのために、図５に示すように、上支持フレーム部１５０の底面内部には幅方向中央に前後に延びるガイド溝１５５が形成され、レール部１３０の連絡部１７０が案内されて移動可能になっている。さらに、ガイド溝１５５の両サイドには位置決めボール部１４８の位置が保持される位置決め凹部１５２が形成されている。
【００２６】
一方、下レール部１４４の下側部分は、所定長だけ下レール収容部１４１に収容されている。具体的な所定長とは、位置決めボール部１４８の最大に移動した場合でも下レール収容部１４１に収容部分が残りネジ固定可能な長さである。
【００２７】
このテレビ壁掛け用ラック１１０では、取り付けたテレビ９０を斜めにするときには、例えば、図４（ｂ）に示すように、位置決めボール部１４８の位置を前方に移動させる。このとき、下レール部１４４は上方に移動するとともに、上レール部１４２は、ヒンジ部１４６を支点として位置決めボール部１４８の位置に対応した角度だけ前方に折れ曲がる。所望の量だけ位置決めボール部１４８を移動させ、テレビ９０を所望の角度にしたら下レール部１４４をネジ固定する。図４（ｃ）は、位置決めボール部１４８を最前方まで移動させてテレビ９０の水平下向きにした状態である。
【００２８】
このような構造のテレビ壁掛け用ラック１１０によると、通常はテレビ９０を正面に向けて立てた状態とし、就寝時等にテレビ９０を天井に下向きに、あるいは所定角度傾けて配置するといった使用が出来る。特に、病院等で寝たきりの患者がいる場合などにおいて、このような構造のテレビ壁掛け用ラック１１０が非常に有用である。
【符号の説明】
【００２９】
１０、１１０  テレビ壁掛け用ラック
２２、１２２  天井固定補強バー
２４  床固定補強バー
３０  床支柱部
３２  支柱ベース部
３４  レール固定部
３６  屈曲部
４０  天井支柱部
５０、１１１  ラック柱部
５２、１３０  レール部
５３、５５  レール本体
５４  レール溝
１４１  下レール収容部
１４２  上レール部
１４４  下レール部
１４６  ヒンジ部
１４８  位置決めボール部
１５０  上支持フレーム部
１５２  位置決め凹部
１５５  ガイド溝
１６０  垂直フレーム
１７０  連絡部
【図１】
2011142376.tif 000003
【図２】
2011142376.tif 000004
【図３】
2011142376.tif 000005
【図４】
2011142376.tif 000006
【図５】
2011142376.tif 000007